(57)【要約】【課題】薬液が容器内に残ることを防止可能な揮散体、及び、薬液が容器内に残ることを防止可能な揮散装置を提供すること。【解決手段】  揮散体３０は、容器２０の開口２１を有する上面２５ａに当接する当接部３６ｂを備え、当接部３６ｂから下端３５ａまでの長さが、上面２５ａから容器２０の底面２３ａまでの距離Ｌ１よりも長い、容器２０内に開口２１を通して挿入可能な被収容部６と、被収容部６の、当接部３６ｂから距離Ｌ１よりも短い距離の位置に形成された脆弱部３５ｂと、を備える。【選択図】      図２
2019099194.tif 000002
【特許請求の範囲】
【請求項１】
容器の開口を有する上面に当接する当接部を具備して前記開口を通して前記容器内に挿入可能な１方向に長い被収容部であって、前記開口を通して長手方向に沿って挿入される過程で前記当接部が前記上面に当接する前に挿入方向の先端が前記容器内の底面に当接する長さを有する被収容部と、
前記当接部から前記長手方向に前記先端に向かって、前記容器の前記開口の縁から前記挿入方向に前記底面までの距離の位置、または、前記距離より短い距離の位置に形成された脆弱部と、
を具備した揮散体。
【請求項２】
胴部、前記胴部の下端に形成された底壁部、前記胴部の上端に形成された肩部、及び前記肩部に形成された筒状の首部を具備した容器の前記首部の上面に当接する当接部を具備して前記首部の開口を通して前記容器内に挿入可能な一方向に長い被収容部であって、前記開口を通して長手方向に沿って挿入される過程で前記当接部が前記上面に当接する前に挿入方向の先端が前記容器の底面に当接する長さを有する被収容部と、
前記当接部から前記長手方向に前記先端に向かって、前記容器の前記開口の縁から前記挿入方向に前記底面までの距離の位置、または、前記距離より短い距離の位置に形成された脆弱部と、
前記当接部から幅方向に突出した本体部と、
前記本体部に形成され、前記被収容部との間に前記首部を配置可能な第１の突出部と、
を具備した揮散体。
【請求項３】
前記被収容部の、前記脆弱部から前記当接部側に範囲の少なくとも１部に形成されたリブを具備した請求項１または請求項２に記載の揮散体。
【請求項４】
前記リブは、前記脆弱部から前記当接部側に向かって延びる
請求項３に記載の揮散体。
【請求項５】
前記リブは、前記被収容部とは別部材である
請求項３に記載の揮散体。
【請求項６】
前記被収容部に形成され、前記首部の内面に当接可能な第２の突出部を具備した
請求項２に記載の揮散体。
【請求項７】
前記当接部は、前記開口の縁に当接する
請求項１または２に記載の揮散体。
【請求項８】
前記被収容部の前記当接部から前記先端までの前記長手方向の長さは、前記上面から前記容器内の底面までの距離よりも長い
請求項１または請求項２に記載の揮散体。
【請求項９】
上面に開口を有する容器と、
前記上面に当接する当接部を具備して前記開口を通して前記容器内に挿入可能な１方向に長い被収容部であって、前記開口を通して長手方向に沿って挿入される過程で前記当接部が前記上面に当接する前に挿入方向の先端が前記容器内の底面に当接する長さを有する被収容部、及び、前記当接部から前記長手方向に前記先端に向かって、前記容器の前記開口の縁から前記挿入方向に前記底面までの距離の位置、または、前記距離より短い距離の位置に形成された脆弱部を具備した揮散体と、
を具備した揮散装置。
【請求項１０】
胴部、前記胴部の下端に形成された底壁部、前記胴部の上端に形成された肩部、及び前記肩部に形成された筒状の首部を具備した容器と、
前記首部の上面に当接する当接部を具備して前記首部の開口を通して前記容器内に挿入可能な一方向に長い被収容部であって、前記開口を通して長手方向に沿って挿入される過程で前記当接部が前記上面に当接する前に挿入方向の先端が前記容器の底面に当接する長さを有する被収容部、前記当接部から前記長手方向に前記先端に向かって、前記容器の前記開口の縁から前記挿入方向に前記底面までの距離の位置、または、前記距離より短い距離の位置に形成された脆弱部、前記当接部から幅方向に突出した本体部、及び、前記本体部に形成され、前記被収容部との間に前記首部を配置可能な第１の突出部を具備した揮散体と、
を具備した揮散装置。
【発明の詳細な説明】
【技術分野】
【０００１】
本発明は、容器内の液体を吸い上げて揮散する揮散体、及び揮散装置に関する。
【背景技術】
【０００２】
従来、容器内に収容された香料等の薬液を、揮散体で吸い上げて揮散する揮散装置が知られている。この種の揮散装置では、揮散体の容器の外側に配置される部分の表面積を大きくすることにより、薬液の揮散量を多くする技術が知られている。
【０００３】
このように、揮散体の容器の外側に配置される部分の表面積を大きくする技術としては、板状の複数の部材を組み合わせることにより、揮散体の外観を所謂星型に構成する技術が知られている。（例えば、特許文献１参照。）。
【０００４】
このような揮散体は、容器の上部に形成された溝に差し込まれることにより、容器内に一部が挿入される。さらに、上述のように表面積が大きく形成された部分は、容器の上部に形成された溝よりも大きく形成されており、溝の縁に当接することにより、容器に支持される。
【先行技術文献】
【特許文献】
【０００５】
【特許文献１】特表２００５−５３２１３５号公報
【発明の概要】
【発明が解決しようとする課題】
【０００６】
上述のように、容器の上部に当接することにより揮散体を支持する揮散装置には以下の問題があった。即ち、揮散体が容器の上部に当接することにより、揮散体の下端が容器の底面に接触しない場合は、薬液の一部は容器内に使用できずに残る、という問題がある。
【０００７】
この為、本発明は、薬液が容器内に残ることを防止可能な揮散体、及び、薬液が容器内に残ることを防止可能な揮散装置に関する。
【課題を解決するための手段】
【０００８】
本発明の一態様に係る揮散体は、容器の開口を有する上面に当接する当接部を具備して前記開口を通して前記容器内に挿入可能な１方向に長い被収容部であって、前記開口を通して長手方向に沿って挿入される過程で前記当接部が前記上面に当接する前に挿入方向の先端が前記容器内の底面に当接する長さを有する被収容部と、前記当接部から前記長手方向に前記先端に向かって、前記容器の前記開口の縁から前記挿入方向に前記底面までの距離の位置、または、前記距離より短い距離の位置に形成された脆弱部と、を備える。
【０００９】
本発明の一態様に係る揮散体は、胴部、前記胴部の下端に形成された底壁部、前記胴部の上端に形成された肩部、及び前記肩部に形成された筒状の首部を具備した容器の前記首部の上面に当接する当接部を具備して前記首部の開口を通して前記容器内に挿入可能な一方向に長い被収容部であって、前記開口を通して長手方向に沿って挿入される過程で前記当接部が前記上面に当接する前に挿入方向の先端が前記容器の底面に当接する長さを有する被収容部と、前記当接部から前記長手方向に前記先端に向かって、前記容器の前記開口の縁から前記挿入方向に前記底面までの距離の位置、または、前記距離より短い距離の位置に形成された脆弱部と、前記当接部から幅方向に突出した本体部と、前記本体部に形成され、前記被収容部との間に前記首部を配置可能な第１の突出部と、を備える。
【００１０】
本発明の一態様に係る揮散装置は、上面に開口を有する容器と、前記上面に当接する当接部を具備して前記開口を通して前記容器内に挿入可能な１方向に長い被収容部であって、前記開口を通して長手方向に沿って挿入される過程で前記当接部が前記上面に当接する前に挿入方向の先端が前記容器内の底面に当接する長さを有する被収容部、及び、前記当接部から前記長手方向に前記先端に向かって、前記容器の前記開口の縁から前記挿入方向に前記底面までの距離の位置、または、前記距離より短い距離の位置に形成された脆弱部を具備した揮散体と、を備える。
【００１１】
本発明の一態様に係る揮散装置は、胴部、前記胴部の下端に形成された底壁部、前記胴部の上端に形成された肩部、及び前記肩部に形成された筒状の首部を具備した容器と、前記首部の上面に当接する当接部を具備して前記首部の開口を通して前記容器内に挿入可能な一方向に長い被収容部であって、前記開口を通して長手方向に沿って挿入される過程で前記当接部が前記上面に当接する前に挿入方向の先端が前記容器の底面に当接する長さを有する被収容部、前記当接部から前記長手方向に前記先端に向かって、前記容器の前記開口の縁から前記挿入方向に前記底面までの距離の位置、または、前記距離より短い距離の位置に形成された脆弱部、前記当接部から幅方向に突出した本体部、及び、前記本体部に形成され、前記被収容部との間に前記首部を配置可能な第１の突出部を具備した揮散体と、を備える
【発明の効果】
【００１２】
本発明によれば、容器内に薬液が残ることを防止することが可能となる。
【図面の簡単な説明】
【００１３】
【図１】本発明の一実施形態に係る揮散装置が分解された状態を示す斜視図。
【図２】一実施形態に係る揮散装置を一部切り欠いて示す正面図。
【図３】一実施形態に係る揮散装置に用いられる揮散体が分解された状態を示す平面図。
【図４】一実施形態に係る揮散装置の要部を一部切り欠いて示す正面図。
【図５】一実施形態に係る揮散装置の揮散体に用いられる第１の部材の変形例を示す平面図。
【図６】一実施形態に係る揮散装置の揮散体の変形例を示す平面図。
【図７】一実施形態に係る揮散装置の変形例を一部切り欠いて示す正面図。
【図８】一実施形態に係る揮散装置の変形例を一部切り欠いて示す正面図。
【発明を実施するための形態】
【００１４】
本発明の一実施形態に係る揮散装置１０を、図１乃至図８を用いて説明する。図１は、揮散装置１０が分解された状態を示す斜視図である。図２は、揮散装置１０を、容器２０及びカバー４０を切断して示す正面図である。図３は、揮散装置１０に用いられる揮散体３０が分解された状態を示す平面図である。図４は、揮散装置１０の要部を一部切り欠いて示す正面図である。
【００１５】
図１に示すように、揮散装置１０は、香料等の薬液Ｌを収容した容器２０、容器２０に設置される揮散体３０、及び、容器２０に取り付けられるカバー４０を有している。揮散装置１０は、容器２０内の薬液Ｌを揮散体３０により吸い上げて揮散可能に構成されている。揮散装置１０の上下方向は、本実施形態では、揮散装置１０の後述する容器２０の底壁部２３が重力方向に直交する水平な面上に載置されたときの重力の作用する方向を下方向として設定される。
【００１６】
容器２０は、上面に開口２１を有している。容器２０は、一例として、胴部２２、底壁部２３、肩部２４、及び、開口２１を規定する首部２５を有している。胴部２２は、一例として、円筒状に形成されている。底壁部２３は、胴部２２の下端に形成されており、胴部２２の下端を閉塞している。容器２０内の底面２３ａとなる底壁部２３の上面は、上下方向に直交する平面に形成されている。底面２３ａは、容器２０内の底面である。肩部２４は、胴部２２の上端に形成されている。
【００１７】
首部２５は、円筒状に形成されており、蓋部材５が螺合可能な外周面に雌ねじが形成されている。蓋部材５は、揮散装置１０が使用される前において、首部２５の開口２１を閉塞することにより薬液Ｌの揮散を防止する為に用いられる。
【００１８】
首部２５の軸線に直交する断面は、胴部２２の軸線に直交する断面よりも小さい。さらに、首部２５は、首部２５を首部２５の軸方向に見たときに、肩部２４の外縁よりも内側に配置される。本実施形態では、首部２５は、一例として、胴部２２と同軸に配置されている。
【００１９】
首部２５の上面２５ａは、上下方向に直交する平面に形成されている。首部２５の上面２５ａ、すなわち、開口２１を有する上面から底壁部２３の底面２３ａまでの距離は、Ｌ１である。この為、開口２１の縁２１ａから、上下方向に沿って底面２３ａまでの距離もＬ１となる。
【００２０】
このように構成された容器２０は、本実施形態では一例として、ガラスから形成されている。この為、首部２５の内周面２６の上端から下方にわずかにずれた部分は、ガラスの性質によって、径方向外側に凹む凹み部２７が形成されている。凹み部２７は、環状に形成されている。
【００２１】
揮散体３０は、一例として、複数の部材を互いに組み合わせることにより構成されている。本実施形態では、揮散体３０は、第１の部材３１、及び第２の部材３２を組み合わせることにより構成されている。なお、揮散体３０は、揮散体３０が容器２０に設置された状態の姿勢に基づいて上下方向を設定し、説明する。
【００２２】
図１乃至図３に示すように、第１の部材３１は、上下方向に延びた第１の部分３３、及び第１の部分３３の上端に形成され、上下方向に直交する方向に第１の部分３３より突出する第２の部分３４を有している。第１の部材３１は、薬液Ｌを吸い上げることが可能な材料から形成されている。さらに、第１の部材３１は、薬液Ｌによって濡れても、形状を保持可能な材料から形成されている。第１の部材３１は、本実施形態では一例として、厚紙から形成されている。
【００２３】
第１の部分３３は、容器２０内に収容可能な芯部３５、及び芯部３５の上端に形成され、芯部３５より上下方向に直交する幅方向の長さが長い幅広部３６を有している。芯部３５は、一方向に長く、首部２５内に開口２１を通して長手方向に沿って挿入可能な形状を有している。芯部３５は、一例として、首部２５の内径よりもわずかに小さい幅を有する長方形状に形成されている。
【００２４】
芯部３５の上端の幅方向両端の縁のそれぞれには、芯部３５の幅方向外側に突出した第１の突出部３７が形成されている。第１の突出部３７について図４を用いて説明する。図４は、揮散体３０が容器２０に設置された状態での、第１の突出部３７及びその周辺を示している。図４に示すように、第１の突出部３７は、芯部３５を首部２５内に挿入すると、凹み部２７内に配置可能に形成されている。本実施形態では、第１の突出部３７の形状は凹み部２７の断面形状とは同一形状ではないので、第１の突出部３７は一部が変形することにより、凹み部２７内に収容される。第１の突出部３７は、凹み部２７内に配置されることにより、凹み部２７に係合される。第１の突出部３７は、一例として、図３に示すように、下方に向かって幅が漸次短くなる形状を有している。
【００２５】
幅広部３６は、本実施形態では一例として、上方に向かって幅が漸次増大する形状に形成されている。幅広部３６の側面３６ａは、上下方向に対して傾斜する方向に平行に形成されている。幅広部３６の上端幅は、容器２０の開口２１の内径よりも大きい。この為、揮散体３０を開口２１内に挿入すると、幅広部３６の側面３６ａは、開口２１の縁２１ａに当接する。縁２１ａは、上面２５ａの一部である。
【００２６】
幅広部３６の側面３６ａの開口２１の縁２１ａに当接する当接部３６ｂ、換言すると、幅広部３６の上下方向に直交する幅方向の長さが開口２１の内径と同じ長さとなる当接部３６ｂから第１の部分３３の下端３５ａまでの長さＬ２は、距離Ｌ１よりも長い。なお長さＬ２は、具体的には、第１の部分３３の上下方向に平行な線Ｘ１に沿う長さである。第１の部分３３の上下方向は、揮散体３０が容器２０に収容されたときに容器２０の深さ方向に平行となる。第１の部分３３の、当接部３６ｂから下端３５ａまでの部分が、容器２０内に収容される被収容部６を構成する。
【００２７】
換言すると、被収容部６の長手方向に沿う長さＬ２は、揮散体３０を、被収容部６の長手方向を上下方向に平行な姿勢として長手方向沿って開口２１を通して容器２０内に挿入したときに、当接部３６ｂが開口２１の縁２１ａに当接する前に、下端３５ａが底面２３ａに当接する長さである。
【００２８】
また、第１の部分３３において、当接部３６ｂから下端３５ａに向かって、線Ｘ２に沿って距離Ｌ１より短い長さＬ３となる位置には、脆弱部３５ｂが形成されている。脆弱部３５ｂは、芯部３５に形成されている。線Ｘ２は、第１の部分３３の上下方向に平行な線であり、揮散体３０が容器２０に収容されたときに容器２０の深さ方向に平行となる。  
換言すると、脆弱部３５ｂは、被収容部６の当接部から長手方向に下端３５ａに向かって、開口２１の縁２１ａから底面２３ａまでの距離Ｌ１より短い距離の位置に形成されている。
【００２９】
脆弱部３５ｂは、芯部３５を、上下方向に直交する幅方向に沿って曲がりやすくする部分である。脆弱部３５ｂは、一例として、芯部３５の表面に形成された切り込みである。脆弱部３５ｂを形成する切り込みは、芯部３５の表面から所定深さまで形成されており、さらに、芯部３５の幅方向一端から他端まで延びている。脆弱部３５ｂは、他の例では、幅方向に配置された複数の孔であってもよい。または、脆弱部３５ｂは、幅方向に延びる溝であってもよい。また、脆弱部３５ｂは、幅方向に延びる折り罫であってもよい。
【００３０】
第２の部分３４は、図３に示すように、幅広部３６の上端に形成された本体部３８、及び本体部３８に形成された第２の突出部３９を有している。
【００３１】
本体部３８は、幅広部３６に対して、幅方向両側に突出している。本体部３８は、一例として、平面形状が長方形状に形成されている。  
第２の突出部３９は、本体部３８から下方に突出しており、第１の部分３３との間に、幅方向に隙間Ｓ１を有している。隙間Ｓ１は、第１の部材３１が、当接部３６ｂが開口２１の縁２１ａに当接するまで容器２０内に挿入されたときに、首部２５の一部を配置可能であり、さらに、第２の突出部３９が首部２５に接触しない隙間である。第２の突出部３９は、一例として矩形状に形成されている。
【００３２】
第２の突出部３９は、一例として、２つ形成されている。第２の突出部３９は、本体部３８の幅方向両端のそれぞれに形成されている。第２の突出部３９の側面３９ａ、及び、本体部３８の側面３８ａは、上下方向に並んで配置されている。
【００３３】
このように構成された第１の部材３１には、第２の部材３２を内側に配置する第１の溝３１ａが形成されている。第１の溝３１ａは、一例として、本体部３８の上端面の幅方向中心から、芯部３５の上下方向の中途部Ｐ１まで延びている。第１の溝３１ａは、第１の部材３１の幅方向の略中央に配置されている。第１の溝３１ａは、一例として、緩やかな円弧状に形成されている。第１の溝３１ａの幅は、第２の部材３２を固定可能な幅を有している。第１の溝３１ａの幅は、本実施形態では一例として、第２の部材３２の厚みよりわずかに小さい長さを有している。
【００３４】
第２の部材３２は、一例として、第１の部材３１と同様の形状を有しているが、第１の部材３１に対して、芯部３５の長さ、及び、第１の溝３１ａに換えて第２の溝３２ａが形成される点が異なる。この為、第２の部材３２は、この違いについて説明し、他の同様の構造については第１の部材３１と同一の符号を付して説明を省略する。
【００３５】
第２の部材３２の芯部３５の長さは、図１及び図２に示すように、第２の部材３２が第１の部材３１に組み合わされたときに、第２の部材３２の芯部３５の下端３５ａが、第１の部材３１の脆弱部３５ｂと対向する長さを有している。すなわち、第２の部材３２の芯部３５の上下方向の長さは、第１の部材３１の芯部３５の上端から脆弱部３５ｂまでの長さと同じ長さである。なお、第２の部材３２の芯部３５は、脆弱部３５ｂを有していない。第２の部材３２の芯部３５は、第１の部材３１の芯部３５の脆弱部３５ｂより上方の部分の強度を向上する補強用のリブとして機能する。
【００３６】
第２の部材３２は、第１の部材３１を内側に配置する第２の溝３２ａを有している。第２の溝３２ａは、図３に示すように、芯部３５の下端３５ａから芯部３５の中途部Ｐ２まで延びている。第２の溝３２ａは、緩やかな円弧状に形成されている。第２の溝３２ａは、内側に第１の部材３１を挟持可能な幅を有している。第２の溝３２ａの幅は、一例として、第１の部材３１の厚みよりわずかに小さい長さを有している。
【００３７】
第１の溝３１ａ及び第２の溝３２ａは、第１の溝３１ａ内に第２の部材３２の本体部３８、幅広部３６、及び芯部３５の一部が配置され、第２の溝３２ａ内に第１の部材３１の芯部３５が配置され、さらに、第１の溝３１ａの下端３１ｂ、及び第２の溝３２ａの上端３２ｂが互いに当接した状態において、第１の部材３１の上端面、及び第２の部材３２の上端面が面一となる長さを有している。
【００３８】
このように構成された揮散体３０は、図１及び図２に示すように、第１の部材３１及び第２の部材３２が組み合わされると、第１の部材３１の両主面のそれぞれから、第２の部材３２が突出する、断面形状十字形状に構成される。換言すると、揮散体３０は、第２の部材３２の両主面のそれぞれから第１の部材３１が突出する、断面十字形状に形成される。
【００３９】
さらに、第１の部材３１の上端面、及び第２の部材３２の上端面が面一になることによって、第１の部材３１の第１の突出部３７、及び第２の部材３２の第１の突出部３７が、周方向に並ぶ。
【００４０】
カバー４０は、容器２０に着脱可能に形成されている。カバー４０は、一例として、上壁部４１、及び胴部４２を有する有底円筒状に形成されている。胴部４２には、カバー４０の内外を連通する開口４３が形成されている。開口４３は、一例として、矩形状に形成されている。さらに、開口４３は複数形成されており、胴部４２の周方向に離間して配置されている。
【００４１】
なお、開口４３は、揮散した香料を、カバー４０外へ出すことが可能に形成されればよく、形状は限定されない。例えば、カバー４０に、香料と同様の匂いを有する植物（例えばバラ）が、開口や凹凸により表現される場合は、この開口を通って、揮散した香料がカバー４０外へ出る。また、上壁部４１に開口が形成されてもよい。
【００４２】
カバー４０の下端開口の内縁には、容器２０の胴部２２の外周面に形成された環状の溝２８に係合する第３の突出部４４が形成されている。第３の突出部４４が溝２８に係合することによって、カバー４０が容器２０に固定される。なお、カバー４０を容器２０に対して上方に移動することにより、第３の突出部４４が溝２８から出る。第３の突出部４４が溝２８から出ることにより、カバー４０を容器２０から取り外すことができる。
【００４３】
次に、揮散装置１０の組み立て作業の一例を説明する。揮散装置１０は、使用される前の状態では、容器２０の首部２５に蓋部材５が取り付けられ、さらに、揮散体３０の第１の部材３１及び第２の部材３２が分離された状態で箱等のパッケージ（図示せず）内に収容されている。さらに、第１の部材３１及び第２の部材３２は、容器２０外に配置されている。
【００４４】
使用者は、揮散装置１０の使用を開始する場合は、パッケージから、容器２０、第１の部材３１、第２の部材３２、及びカバー４０を取り出す。
【００４５】
使用者は、次に、第１の部材３１及び第２の部材３２を組み合わせることによって揮散体３０を構成する。具体的には、使用者は、第２の部材３２の芯部３５を下端３５ａから第１の部材３１の第１の溝３１ａ内に挿入する。このとき、第２の部材３２の第２の溝３２ａ及び第１の溝３１ａの位置を合わせることにより、第２の部材３２を第１の溝３１ａ内にスムーズに挿入できる。
【００４６】
使用者は、第２の部材３２を、第２の溝３２ａの上端３２ｂが第１の溝３１ａの下端３１ｂに当接するまで第１の溝３１ａ内に押し込むと、当該押し込み作業を終了する。第２の溝３２ａの上端３２ｂ及び第１の溝３１ａの下端３１ｂが互いに当接すると、第２の部材３２の芯部３５の下端３５ａが、第１の部材３１の脆弱部３５ｂに対向する。
【００４７】
使用者は、次に、第１の部材３１及び第２の部材３２が互いに直交するように、第１の部材３１及び第２の部材３２の姿勢を調整する。第１の部材３１及び第２の部材３２が互いに直交する姿勢となると、揮散体３０が完成する。
【００４８】
使用者は、揮散体３０が完成すると、揮散体３０を、第１の部材３１の芯部３５の下端３５ａ、及び第２の部材３２の芯部３５の下端３５ａから、開口２１を通して容器２０内に挿入する。
【００４９】
第１の部材３１の第１の突出部３７、及び第２の部材３２の第１の突出部３７が周方向に並ぶことによって、第１の部材３１の第１の突出部３７、及び第２の部材３２の第１の突出部３７が、同時に開口２１の縁２１ａに当接する。
【００５０】
使用者は、揮散体３０が、第１の部材３１の第１の突出部３７及び第２の部材３２の第１の突出部３７が開口２１の縁２１ａに当接するまで挿入されると、さらに、揮散体３０を容器２０内に押し込む。図４に示すように、揮散体３０は、第１の突出部３７が開口２１の縁２１ａに当接した位置からさらに押し込まれると、第１の突出部３７が変形する。
【００５１】
第１の突出部３７が変形することにより、揮散体３０は、容器２０内にさらに移動可能となる。使用者は、第１の部材３１の幅広部３６、及び第２の部材３２の幅広部３６が開口２１の縁２１ａに当接するまで揮散体３０を容器２０内に押しこむ。揮散体３０が、幅広部３６が開口２１の縁２１ａに当接するまで容器２０内に挿入されると、第１の突出部３７が首部２５の凹み部２７に入りこむ。このように、第１の突出部３７が凹み部２７内に収容されることにより、揮散体３０が開口２１の縁２１ａに当接した状態で、揮散体３０が容器２０に係合する。
【００５２】
また、第１の部材３１の幅広部３６、及び、第２の部材３２の幅広部３６が開口２１の縁２１ａに当接するまで揮散体３０が容器２０内に押し込まれる間に、第１の部材３１の芯部３５の下端３５ａが容器２０の底壁部２３の底面２３ａに当接する。さらに、揮散体３０は、第１の部材３１の下端３５ａが底壁部２３の底面２３ａに当接してから、さらに容器２０内に押し込まれる。第１の部材３１は、下端３５ａが底壁部２３に接触してからさらに押し込まれることによって、脆弱部３５ｂで屈曲される。
【００５３】
第１の部材３１の芯部３５の脆弱部３５ｂより上方の部分は、第２の部材３２の芯部３５により、脆弱部３５ｂより下方の部分に比較して、強度が向上している。この為、第１の部材３１は、脆弱部３５ｂで屈曲される。第１の部材３１の芯部３５が脆弱部３５ｂで屈曲されることにより、第１の部材３１の下端３５ａは、底壁部２３の底面２３ａに接触した状態が維持される。
【００５４】
第１の部材３１の幅広部３６、及び第２の部材３２の幅広部３６が開口２１の縁２１ａに当接した状態では、首部２５は、隙間Ｓ１内に配置される。
【００５５】
使用者は、揮散体３０を、第１の部材３１の幅広部３６及び第２の部材３２の幅広部３６が開口２１の縁２１ａに当接するまで容器２０内に挿入すると、次に、カバー４０を容器２０に取り付ける。カバー４０が容器２０に取り付けられると、揮散装置１０が完成する。
【００５６】
次に、揮散装置１０の動作を説明する。揮散体３０は、容器２０内の薬液Ｌを吸い上げる。吸い上げられた薬液Ｌは、揮散体３０の表面から揮散される。揮散体３０の表面から揮散した気体状の香料は、カバー４０の開口４３を通ってカバー４０外に出る。また、容器２０内で揮散した香料は、開口２１、及びカバー４０の開口４３を通ってカバー４０外に出る。
【００５７】
このように構成された揮散装置１０では、第１の部材３１の芯部３５の長さＬ２は、容器２０の開口２１の縁２１ａから底壁部２３の底面２３ａまでの長さＬ１より長い。この為、第１の部材３１の下端３５ａが底面２３ａに接触するので、容器２０内に薬液Ｌが残ることを防止できる。
【００５８】
さらに、本実施形態では第１の部材３１の下端３５ａは底面２３ａの中心よりも周縁側の部分に接触する。本実施形態のように容器２０がガラスで形成される場合、ガラスの性質や製造方法の性質により、底面２３ａは、完全な平面とならずに、底面２３ａの中心及びその近傍が、底面２３ａの周縁部に比較して、高くなる場合が生じる。
【００５９】
このように、底面２３ａが上下方向に直交する平面ではなく、中心に対して周縁側が低くなる面となると、薬液Ｌは、残量が減少したときには容器２０の中心よりも周縁側に残りやすい。
【００６０】
しかしながら、本実施形態のように、下端３５ａが底面２３ａの中心より周縁側の部分に接触することによって、底面２３ａが平面ではなく、底面２３ａの中心よりも周縁側の部分が低くなる面であっても、揮散体３０は薬液Ｌの残量が減少しても薬液Ｌを吸い上げることができる。
【００６１】
さらに、第１の部材３１及び第２の部材３２のそれぞれが、開口２１の縁２１ａに当接する幅広部３６を有することにより、揮散体３０及び容器２０の接触箇所から薬液Ｌが伝って外部に流れ出ることを防止できる。
【００６２】
例えば、本体部３８の下端が首部２５の上面に接触すると、本体部３８まで吸い上げられた薬液Ｌが、本体部３８及び首部２５の上面の接触箇所を通って首部２５の上面に流れ、さらには、容器２０の外周面に流れるおそれがある。
【００６３】
しかしながら、本実施形態では、揮散体３０の幅広部３６が開口２１の縁２１ａに当接することによって、本体部３８が首部２５の上面に接触することがない。この為、幅広部３６から開口２１の縁２１ａに薬液Ｌが流れ出ても、流れ出た薬液Ｌは、そのまま、容器２０内に戻る。この為、揮散体３０及び容器２０の接触箇所を伝って外部に薬液Ｌが流れ出ることがない。  
なお、本実施形態の変形例としては、揮散体３０は、首部２５の上面２５ａの縁２１ａ以外の部分に当接することにより、容器２０に支持されてもよい。この場合、揮散体３０において上面２５ａに当接する部分が、本発明で言う当接部となる。この一例としては、本体部３８が上面２５ａに当接してもよい。このように、揮散体３０が上面２５ａの縁２１ａ以外の部分に当接する場合であっても、揮散体３０が底面２３ａに当接できるので、薬液Ｌが容器２０内に使用できずに残ることを防止できる。
【００６４】
さらに、第１の部材３１及び第２の部材３２のそれぞれは、第２の突出部３９及び第１の部分３３の間に隙間Ｓ１を有している。そして、揮散体３０が容器２０に設置された状態、すなわち、幅広部３６の当接部３６ｂが開口２１の縁２１ａに当接するまで揮散体３０が容器２０内に挿入された状態では、隙間Ｓ１内に首部２５が配置されることによって、本体部３８が首部２５に接触することが防止される。
【００６５】
この為、第２の部分３４に第２の突出部３９を設けることによって、揮散体３０において容器２０の外側に配置される部分の表面積を大きくしても、隙間Ｓ１によって第２の突出部３９が容器２０に接触することを防止できる。
【００６６】
なお、本実施形態では、第１の部材３１の芯部３５は、長方形状に形成されている。しかしながら、第１の部材３１芯部３５の形状は、矩形状に限定されない。第１の部材３１の芯部３５の脆弱部３５ｂより下方の部分は、幅方向の中心部分が最も長い形状に形成されてもよい。
【００６７】
この形状一例としては、図５に示す変形例のように、第１の部材３１の芯部３５の下端３５ａが円弧状に形成される形状がある。または、脆弱部３５ｂから下端３５ａまで漸次幅が狭くなる三角形状に形成されてもよい。  
このように、第１の部材３１の芯部３５の脆弱部３５ｂより下方の部分は、幅方向の中心部分が最も長い形状に形成されることにより、第１の部材３１の下端３５ａは、１点で容器２０内の底面２３ａに接触する。この為、下端３５ａは、底面２３ａに対して滑りやすくなる。下端３５ａが底面２３ａに対して滑りやすくなるので、揮散体３０を容器２０内に挿入する際に、第１の部材３１を脆弱部３５ｂで屈曲しやすくなる。
【００６８】
なお、図５に示すように、第１の部材３１の幅は、脆弱部３５ｂで狭く形成されてもよい。第１の部材３１の幅が脆弱部３５ｂで狭くなることにより、脆弱部３５ｂに作用する、単位長さ当たりの第１の部材３１を曲げようとする力が大きくなる。この為、第１の部材３１を、脆弱部３５ｂでスムーズに屈曲することが可能となる。第１の部材３１の幅が脆弱部３５ｂで狭くなる形状の一例としては、脆弱部３５ｂの両端部がくびれる形状がある。
【００６９】
本実施形態では、第１の突出部３７は、芯部３５に形成された。しかしながら、第１の突出部３７は、芯部３５に形成されることに限定されない。他の例では、第１の突出部３７は、図６に示す変形例のように、第２の突出部３９の芯部３５側の面に形成されてもよい。この場合、第１の突出部３７は、首部２５の外周面の雄ねじに係合可能に形成されることが好ましい。なお、図６は、第１の部材３１を代表して示しているが、第２の部材３２も同様である。
【００７０】
本実施形態では、揮散体３０は、複数の部材を組み合わせることにより構成された。しかしながら、揮散体３０は、複数の部材を組み合わせることによって構成されることに限定されない。他の例では、揮散体３０は、１つの部材のみから形成されてもよい。この例としては、揮散体３０は、第１の部材３１のみから構成されてもよい。揮散体３０が第１の部材３１のみから構成される場合は、第１の部材３１の脆弱部３５ｂより上方の部分には、第２の部材３２の芯部３５と同様の補強作用を有する、リブが形成されてもよい。
【００７１】
本実施形態では、容器２０がガラスから形成されることにより、ガラスの性質によって、首部２５の内周面２６に凹み部２７が形成された。しかしながら、容器２０は、製造方法の工夫や、材料の変更によって、凹み部２７を有さなくてもよい。容器２０に凹み部２７が形成されない場合であっても、第１の突出部３７により、揮散体３０を容器２０に支持することができる。
【００７２】
本実施形態では、容器２０内に収容された薬液Ｌの一例として、液状の香料が用いられた。しかしながら、薬液Ｌは、液状の香料に限定されない。他の例では、薬液Ｌは、液状の消臭剤であってもよい。また、容器２０内に収容される液体は、薬液以外の液体であってもよい。
【００７３】
本実施形態では、十分な揮散量を確保する為に、第２の部分３４は第２の突出部３９を有している。しかしながら、十分な揮散量が得られる場合には、第２の部分３４は、図７に示す変形例のように、第２の突出部３９を有さなくてもよい。図７は、第２の突出部３９を有さない揮散体３０を有する揮散装置１０を一部切り欠いて示す正面図である。図７では、容器２０及びカバー４０が切断された状態を示している。
【００７４】
本実施形態では、容器２０の首部２５は、筒状の一例として円筒状に形成された。しかしながら、首部２５は円筒状に形成されることに限定されない。首部２５は、他の例では、断面が楕円や多角形となる筒状に形成されてもよい。
【００７５】
なお、本実施形態では、揮散体３０の第１の部材３１の当接部３６ｂから、線Ｘ１に沿って脆弱部３５ｂまでの長さＬ２は、距離Ｌ１より短い。しかしながら、長さＬ２は、図８に示す変形例のように、距離Ｌ１と同じであってもよい。この場合、脆弱部３５ｂが、容器２０内の底面２３ａに接触する。さらに、第１の部材３１の、脆弱部３５ｂから下端３５ａまでの範囲が、底面２３ａに接触する。
【００７６】
本実施形態では、首部２５の上面２５ａ、及び底面２３ａは、上下方向に直行する平面に形成されており、上面２５ａ及び底面２３ａの間の距離Ｌ１は、いずれの位置でも一定である。
【００７７】
しかしながら、上述のように、底面２３ａが上下方向に直交する平面ではない場合が生じえる。この為、距離Ｌ１は、開口２１の縁２１ａから、底面２３ａにおいて上下方向に開口２１の縁２１ａに対向する部分までの距離とすることが好ましい。
【００７８】
底面２３ａにおいて上下方向に開口２１の縁２１ａに対向する部分は、揮散体３０を開口２１を通して容器２０内に上下方向に挿入したときに揮散体３０の下端３５ａが当接する部分である。この為、当接部３６ｂから下端３５ａまでの長手方向に沿う長さＬ２を、開口２１の縁２１ａから、底面２３ａにおいて上下方向に開口２１の縁２１ａに対向する部分までの距離Ｌ１より長くすることにより、底面２３ａの形状に関わらず、下端３５ａが底面２３ａに当接することとなる。
【００７９】
本実施形態では、容器２０は、首部２５が上下方向に延びる形状であることから、揮散体３０は、その長手方向を上下方向に平行な姿勢として、開口２１を通して長手方向に沿って容器２０内に挿入された。しかしながら、揮散体３０の挿入方向は、上下方向に限定されない。例えば、揮散体３０は、容器２０の形状に応じて、容器２０内に上下方向に対して傾斜する方向に挿入されてもよい。この一例としては、首部２５が上下方向に傾斜する方向に延びる場合がある。
【００８０】
このように、揮散体３０を上下方向に傾斜する方向に沿って開口２１を通して容器２０内に挿入する場合では、被収容部６の長手方向に沿う長さＬ２は、開口２１の縁２１ａから底面２３ａまでの、揮散体３０の挿入方向（上下方向に傾斜する方向）に沿う長さとなる。この場合であっても、当接部３６ｂが開口２１の縁２１ａ当接する前に、下端３５ａが底面２３ａに当接することとなる。
【００８１】
本実施形態では、リブとして機能する第２の部材３２の芯部３５は、第２の部材３２が第１の部材３１に組み合わされたときに、第２の部材３２の芯部３５の下端３５ａが第１の部材３１の脆弱部３５ｂに対向しており、脆弱部３５ｂに接触している。この為、第１の部材３１は、脆弱部３５ｂで屈曲しやすくなる。しかしながら、第２の部材３２の芯部３５の下端３５ａは、脆弱部３５ｂに対向して接触することに限定されない。他の例では、第２の部材３２の芯部３５の下端３５ａは、脆弱部３５ｂより当接部３７ｂ側において、脆弱部３５ｂの近傍に配置されてもよい。このように、リブとして機能する第２の部材３２の芯部３５が、脆弱部３５ｂから当接部３７ｂの間の範囲の少なくとも１部に形成されることにより、第１の部材３１の強度が向上するので、第１の部材３１は脆弱部３５ｂで屈曲しやすくなる。
第２の部材３２の芯部３５の長さは、図１及び図２に示すように、第２の部材３２が第１の部材３１に組み合わされたときに、第２の部材３２の芯部３５の下端３５ａが、第１の部材３１の脆弱部３５ｂと対向する長さを有している。すなわち、第２の部材３２の芯部３５の上下方向の長さは、第１の部材３１の芯部３５の上端から脆弱部３５ｂまでの長さと同じ長さである。なお、第２の部材３２の芯部３５は、脆弱部３５ｂを有していない。第２の部材３２の芯部３５は、第１の部材３１の芯部３５の脆弱部３５ｂより上方の部分の強度を向上する補強用のリブとして機能する。
【００８２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００８３】
６…被収容部、１０…揮散装置、２０…容器、２１…開口、２２…胴部、２３…底壁部、２４…肩部、２５…首部、２５ａ…上面、３０…揮散体、３５ａ…下端（一端）、３５…芯部、３５ｂ…脆弱部、３６ｂ…当接部。
【図１】
2019099194.tif 000003
【図２】
2019099194.tif 000004
【図３】
2019099194.tif 000005
【図４】
2019099194.tif 000006
【図５】
2019099194.tif 000007
【図６】
2019099194.tif 000008
【図７】
2019099194.tif 000009
【図８】
2019099194.tif 000010